(57)【要約】【課題】組立が簡単で、生産コストを下げ、同時に精度を向上させる円回転指針の計器ヘッド構造を提供する。【解決手段】円回転指針計器のヘッド構造は、磁石ユニット２、コイルユニット３、挟持フレーム４及び磁石保護体５から構成される。そのうち、このコイルユニットは、箱体３１上に巻きつけ、磁石ユニットを箱体に収めた時に箱体間に隙間が形成される。別にコイルユニットには指針５５及び軸突端３２、３３が成形される。この挟持フレームの両側には二本の腕４４，４５が成形され、磁石ユニットを両腕間で挟む。また磁石保護体中間には納置空間が形成され、そこに磁石ユニット及び挟持フレームを納置する。【選択図】図２
0003102281.tif 000002
【実用新案登録請求の範囲】
【請求項１】
磁石ユニットと、
箱体上に巻き付けられてなり、指針と二つの軸突端を有すると共に、上述の磁石ユニットを箱体内に納置した時、箱体との間に隙間が形成されるようにされたコイルユニットと、
フレーム両側に二本の腕が成形され、磁石ユニットを両腕で挟む挟持ユニットと、
中間に納置空間を形成し、そこに磁石ユニットと挟持フレームが納置される磁石保護体から構成することにより、
磁石ユニットがしっかりと挟持フレーム内に収まり、また挟持フレームを緩めて随時磁石ユニットを交換可能としたことを特徴とする円回転指針の計器ヘッド構造。
【請求項２】
前記磁石ユニットは、少なくとも一つの保護片によって磁石を包むように構成された磁石保護体を有し、この磁石保護体は円形で、半円より大きい大保護片及び半円より小さい小保護片を合わせてなり、その保護片下端には上向きに帯孔のあるＬ字型形状の折片が設けられてなり、
また前記挟持フレームは、逆Ｕ字型で、最上部にはＶ字型片が設置されて指針の回転範囲に制限を加え、更に両腕には小さくなった階段部が成形され、二本の腕間には磁石ユニット挟持開口及び指針納置開口が形成されて、この挟持開口に上述の磁石ユニットを挟持することにより指針納置開口内で指針が回動するように配置すると共に両腕の相対する位置に設けられた二つの係合突起部間に磁石ユニットを挟持してなり、
また折片と挟持フレームの相対向して設けられた二箇所の孔には相対向して向き合うネジ柱を相通してこれを支点とするコイルユニットを挟持すると共に、指針をゼロに戻す露出端子片を該ネジ柱に回動可能に設けた、
ことを特徴とする請求項１記載の円回転指針の計器ヘッド構造。
【請求項３】
前記二本の腕は、階段部の外縁上にそれぞれ凸塊が成形され、この二つの凸塊と腕間には隙間が形成されて大保護片が納置され、この二本の腕外側面底下には別に掛合凸部が成形され、大保護片両端には相対した掛合凹部が設置され、二本の腕の掛合凸部と結合し、また挟持フレームと二本の腕の連接箇所にはそれぞれフレーム中央から外に向かって延長部が成形され、そこに固定のための孔が穿設されてなることを特徴とする請求項２記載の円回転指針の計器ヘッド構造。
【請求項４】
前記磁石保護体は、更に磁石保護台及び固定端子を含み、この磁石保護台は、複数の磁石保護環が重畳して構成され、磁石保護台の内円周には磁石ユニットと挟持フレームを設置する設置位置が相対して成形され、また磁石保護台両側にはそれぞれ固定孔が穿設され、別にこの固定端子上にはＶ字型片が設置されて指針の回転を制限し、固定端子両側にはそれぞれ穿孔が穿設され、この固定端子を磁石保護台上端に結合した後、挟持フレームを定位するようにし、上述の設置位置は、磁石保護体の納置空間である内壁に相対した単方向案内溝が成形され、挟持フレームの両腕外側にはそれぞれ案内条が設置され、この両腕の案内条が案内溝に沿って設置されると、挟持フレームは納置空間内に安定して納置されることを特徴とする請求項１記載の円回転指針の計器ヘッド構造。
【請求項５】
前記挟持フレームは、磁石保護体に納置した後、末端局部が上向きに突出し、固定端子を磁石保護体の上に結合し、両腕末端を押さえるもので、
別にこの挟持フレームの両腕には相対して係合突起部が設置され、その間に磁石ユニットを掛合するもので、その中段箇所には孔が穿設され、挟持ユニットはＵ字型で、底部には孔が穿設され、この二つの対応する孔に露出端子片を設置し、同時に相対向して内向きに設置したネジ柱を支点としてコイルユニットを支持し、露出端子片上にはぞれぞれ復位バネが設置されることを特徴とする請求項４記載の円回転指針の計器ヘッド構造。
【考案の詳細な説明】
【技術分野】
【０００１】
本考案は、円回転指針、いわゆるメータ類の計器ヘッド構造に関するもので、スピーディーな組立及び計器ヘッド内の磁石交換を行い、低コストで、組立が簡単且つ精度が向上するものである。
【背景技術】
【０００２】
図１に示すとおり、公知の円回転指針の計器ヘッド構造は、磁石１０、二枚の保護片１１、コイルユニット１２、二個のバネ１３及び磁石保護体１５から構成される。そのうち、磁石保護体１５は、二枚の半円形片１５１，１５２から構成される。その半円形片１５１下端には帯孔のある折片１５３が設置され、別の上端の突出した二箇所には帯孔が穿設された固定梁１５６がリベット止めされる。また磁石１０は保護片１１に包まれ、半円形片１５１内にハンダ付される。組立時、指針１６が設置されたコイルユニット１２を磁石保護体１５で囲み、コイルユニット１２両端は固定梁１５６及び折片１５３の露出端子片１５４、１５５上に連結され、二つのネジ柱１７，１８が支持フレームとなる。更に、針が元に戻るように、バネ１３が設置され、最後にもう一つの半円形片１５２を合わせて結合し、プラスチック外体内に納置して（図未提示）結合し、計器ヘッドの半製品組立が完成する。
【０００３】
しかしながら、公知の円回転指針の計器ヘッド構造には、下述の問題がある。
先ず、組立時、磁石保護体と最上片の結合は、リベット止めで行われるため、脱落したり、位置がずれる現象が発生し、中心孔位置が正しくなくなる。
【０００４】
組立時、二枚の保護片及び磁石はハンダ付で組み立てられるため、磁石表面に先ず銅メッキを施し、ハンダ付しやすくする。更にハンダ付後、表面は洗浄処理を行ってから、電気メッキをして製品にするため、製造上、非常に手間がかかる。
【０００５】
一般の円回転計器ヘッドの作業は、磁石をハンダ付で組み立ててから、磁化する。そのため内部の磁石を外から見ただけでは、優劣が判断できず、ハンダ付して組み立てた後、磁石の優劣もしくはその他の問題が発見された場合、磁石を交換することができないので、全部を破棄しなければならない。これは、生産コストが上がるだけでなく、廃棄物が増えることになる。
【０００６】
公知の円回転の計器ヘッドは、ハンダ付を採用しているため、磁石そのものがハンダ付しにくく、且つハンダ付作業時に移動しやすい。またハンダ付の時に熱膨張や冷却収縮等の現象が発生し、製品の中心がずれやすい。このため組み立てた時の計器ヘッドの誤差が大きくなり、計測の精密度にも影響する。
【考案の開示】
【考案が解決しようとする課題】
【０００７】
解決しようとする問題点は、磁石ユニットがしっかりと挟持フレーム内に収まらず、また磁石ユニットだけを交換することができないので、廃棄物が増える点である。
【課題を解決するための手段】
【０００８】
本考案は、主に磁石ユニット、コイルユニット、挟持フレーム及び磁石保護体から構成される。そのうち、このコイルユニットは、箱体上に巻きつけ、磁石ユニットを箱体に収めた時に箱体間に隙間が形成される。別にコイルユニットには指針及び軸突端が成形される。この挟持フレームの両側には二本の腕が成形され、磁石ユニットを両腕間で挟む。また磁石体中間には納置空間が形成され、そこに磁石ユニット及び挟持フレームを納置することを最も主要な特徴とする。
【考案の効果】
【０００９】
本考案の円回転指針の計器ヘッド構造は、下述の利点がある。
先ず、挟持フレームを設置することによって、磁石ユニットを固定し、ハンダ付を行わないので、処理工程が簡単で、組立も容易であり、更に作業時間も短くなる。そして、中心位置を確実に保って製品の精度を向上させ、同時に生産コストを下げる。
次に、挟持フレームで磁石ユニットを挟む構造であるため、生産過程で磁石に問題を発見した場合、即座に問題のある磁石ユニット取り出し、良品に取り替えることができるので、廃棄物が減少する。
【考案を実施するための最良の形態】
【００１０】
磁石ユニットを挟持フレーム内でしっかりと挟持し、また挟持フレームを緩めるだけで簡単に磁石ユニットを交換するという目的を実現した。
【実施例１】
【００１１】
図２から図５に示すとおり、本考案は、主に磁石ユニット２、コイルユニット３、挟持フレーム４及び磁石保護体５から構成される。
【００１２】
この磁石ユニット２は、保護片２１によって、磁石２が覆われている構造で、この磁石ユニット２は単一磁石２によって構成され、直接挟持フレーム４内に納置される。
【００１３】
このコイルユニット３は箱体３１上に巻きつけられ、上述の磁石ユニット２が箱体３１内に組み入れられた時、箱体３１との間に隙間を形成する。また、コイルユニット３には、指針５５及び二つの軸突端３２、３３が含まれる。
【００１４】
挟持フレーム４は、逆Ｕ字型で（図３にも提示）、その最上部には孔４１が設置され、その上には露出端子片４２（指針５５がゼロに戻るため）及び指針５５の回転範囲に制限を加えるＶ字型片５６が設置される。同時に内向きにネジ柱４２１が設置されて支点となり、コイルユニット３を支持する。また露出端子片４２上には別に復位バネ４２２が設置され、指針５５上に連結する。また、この挟持フレーム４両側には二つの腕４４、４５が成形され、その上が縮小した階段部４６が成形される。この腕４４、４５内縁の相対する間隔には二つの係合突起部４９が形成され、上述の磁石ユニット２が係合突起部４９間の挟持開口４７及び指針納置開口４８に掛合される。またこの二つの腕４４、４５外縁の階段部４６上には凸塊４６１が設置され、その二つの凸塊４６１と腕４４、４５間には隙間４０が形成される。更に二つの腕４４、４５外側面には別に凸条の掛合凸部４３が設置され、組み立てやすい弾性を具える。このため、掛合凸部４３箇所の二つの腕４４、４５底端は薄く削られた円弧形に成形される。
【００１５】
磁石保護体５は円形で、半円より大きい大保護片５１、及び半円より小さい小保護片５２から構成される。その両者を合わせた時、中間には納置空間５４が形成される（図４参照）。そこに上述の磁石ユニット２と挟持フレーム４を設置する。また大保護片５１下端に折片５１１を成形し、その折片５１１はＬ字型で、そこに上述の挟持フレーム４最上部の孔４１と対応して設置される孔５１２が設置される。この孔５１２を中心として露出端子片５３が設置され、同時に内向きにネジ柱５３１が設置されて支点となり、コイルユニット３を支える。また露出端子片５３上には別に復位バネ５３２が設置され、大保護片５１両端には凹槽の掛合凸部５１３が成形される。
【００１６】
組立時、先ず磁石ユニット２をコイルユニット３の中に入れ、挟持フレーム４の二本の腕４４、４５でこの磁石ユニット２を挟持する。磁石ユニット２は、挟持開口４７の係合突起部４９間で挟まれ、且つコイルユニット３上の指針５５は、二本の腕４４、４５の間に形成された指針納置開口４８内に位置する。そして二本の腕４４、４５外側面に設置された掛合凸部４３と大保護片５１と対になり、大保護片５１上端は二本の腕４４、４５上の隙間４０内に挟み込む。また二本の腕４４，４５の外側面上に設置された掛合凸部４３は、大保護片５１内の掛合凹部５１３に対応して掛合し、挟持フレーム４が磁石ユニット２と共に大保護片５１上に固定される。コイルユニット３両端は二つの露出端子片４２、５３上にそれぞれ別に連接され、二個のネジ柱４２１、５３１によってコイルユニット３は支持される。最後に小保護片５２を設置すると、磁石ユニット２と挟持フレーム４を納置空間５４内に入り、半製品完成後、それぞれに応用される。
【００１７】
これによって、磁石ユニット２はハンダ付しないので、位置が正しく設置できないという問題が解決され、磁石ユニット２は、本考案の簡単な設計を応用して挟持フレーム４上に固定され、磁石保護体５内に安定して設置される。組立式を採用しているため、磁石２２に瑕や低品質もしくは位置ずれ等の状況を発見した場合も挟持フレーム４から取り出して磁石ユニット２を交換すれば、良品として使用でき、生産上、便利である。
【実施例２】
【００１８】
この他、異なる組立応用として、挟持フレーム４と二本の腕４４、４５の連接箇所に外に向けた延長部５７を成形し（図６参照）、その上に孔５８を穿設して固定する。また二本の腕４４，４５内側にそれぞれ相対した円弧面４４１、４５１を成形し、磁石ユニット２が単一磁石２の時に使用する。本実施例のその他の部品に関しては、第一実施例と同じであるため、再説しない。
【実施例３】
【００１９】
図７から図１０に示すとおり、主に磁石ユニット６、コイルユニット７、挟持フレーム８及び磁石保護体９から構成され、この磁石保護体９は、磁石保護台９１、固定端子９２を含む。
【００２０】
この磁石ユニット６は、二つの保護片６１によって、磁石６２を包んで構成される。
コイルユニット７は、箱体７１に巻きつけ、上述の磁石ユニット６を箱体７１内に納置したときに、隙間を形成する。別にコイルユニット７には、指針５５及び二つの軸突端７２、７３を含む。
【００２１】
この挟持フレーム８は、Ｕ字型で、底部には孔８１が穿設され、その下方には
露出端子片８２が設置され、同時に内向きにネジ柱８３が支点となり、コイルユニット７を支持する。また、露出端子片８２上には別に復位バネ５３２が設置される。この挟持フレーム８両側には二本の腕８４、８５が成形され、その外側にはそれぞれ案内レール８４１、８５１が設置され、内側には係合突起部８６が相対し、上述の磁石ユニット６は腕８４，８５間に挟まれる（図８、１０参照）。
【００２２】
磁石保護台９１は、複数個の磁石保護環９１１が重畳されて構成される。重畳後、この磁石保護台９１中間には納置空間９１２が形成され、磁石保護台９１内円周には上述の磁石ユニット６と挟持フレーム８を設置する設置位置９１３が成形され、また磁石保護台９１両側にはそれぞれ固定孔９１４が穿設される。別にこの設置位置９１３は、磁石保護台９１の納置空間９１２内側壁上に相対して単方向案内溝９１５を設置して構成し、挟持フレーム８の両腕８４、８５の案内レール８４１、８５１が二つの案内溝９１５に沿って挿入されると、挟持フレーム８は納置空間９１２内で安定して納置される。
【００２３】
この固定端子９２は、凸型の折片で、その中心箇所には上述の挟持フレーム８底部の中心孔８１に対応する孔９２１が設置される。その上には露出端子片９２２が設置され（指針５５がゼロに戻るため）、同時に内向きにネジ柱９２３が設置されて支点となり、コイルユニット７を支持する。また、露出端子片９２２上には別に復位バネ５３２が設置され、固定端子９２の両端には穿孔９２４が穿設され、固定端子９２はネジ孔９１４によって、上述の磁石保護台９１に結合された後、挟持レーム８の位置を制限する。更に固定端子９２上にはＶ字型片５６が設置され、指針５５の回転範囲を制限する。
【００２４】
組立時、図７から図９に示すとおり、先ず磁石ユニット６をコイルユニット７内に入れ、挟持フレーム８の二本の腕８４，８５で磁石ユニット６を挟む。磁石ユニット６は係合突起部８６間で挟持され、続いて磁石ユニット６を挟んだ挟持フレーム８の両腕８４，８５外側に設置された案内条８４１、８５１を、磁石保護台９１にある納置空間９１２の内側壁に相対した二つの単方向案内溝９１５に挿入し、挟持フレーム８を磁石保護台９１の納置空間９１２内に安定して設置する。その上に更に固定端子９２を磁石保護台９１上に固定し、二つのネジ柱８３，９２３を支点として止め、コイルユニット７を支持する。またコイルユニット７両端は、露出端子片８２、９２上で連結する。上述の簡単な組立によってスピーディーに計器ヘッドの組立が完成する。別に、挟持フレーム８末端は局部が上向きに突き出しているため、固定端子９２を磁石保護台９１の上方に結合すると、ちょうど挟持フレーム８の両腕８４、８５の末端で押さえることになり、そのため良好な固定ができる。更に磁石ユニット６は、ハンダ付でないので、位置が不正にずれることなく、この磁石ユニット６は本考案の簡単な構造を応用し、挟持フレーム８上で固定し、磁石保護台９１内で安定して設置される。また組立式を採用しているため、磁石６２に瑕や劣化もしくは組立時の位置ずれが発見された場合、挟持フレーム８を外して磁石６を交換すれば、良品になり生産コストが下がる。
【図面の簡単な説明】
【００２５】
【図１】公知の円回転指針の計器ヘッド部品分解図である。
【図２】本考案第一実施例の部品分解図である。
【図３】本考案第一実施例の挟持フレーム立体外観図である。
【図４】本考案第一実施例の組立後の立体外観図である。
【図５】本考案第一実施例の挟持フレームと磁石保護体結合状態指示図である。
【図６】本考案第二実施例の挟持フレーム立体外観図である。
【図７】本考案第三実施例の部品分解図である。
【図８】本考案第三実施例の挟持フレーム立体外観図である。
【図９】本考案第三実施例の組立後立体外観図である。
【図１０】本考案第三実施例の挟持フレームが磁石ユニットを挟持した状態指示図である。
【符号の説明】
【００２６】
１        公知円回転指針の計器ヘッド
１０        磁石
１１        保護片
１２        コイルユニット
１３        バネ
１５        磁石保護体
１５１        半円形片
１５２        半円形片
１５３        折片
１５４        露出端子片
１５５        露出端子片
１５６        固定梁
１６        指針
１７        ネジ柱
１８        ネジ柱
２        磁石ユニット
２１        保護片
２２        磁石
３        コイルユニット
３１        箱体
３２        軸突端
３３        軸突端
４        挟持フレーム
４０        隙間
４１        孔
４２        露出端子片
４２１        ネジ柱
４２２        復位バネ
４３        掛合凸部
４４        腕
４４１        円弧面
４５        腕
４５１        円弧面
４６        階段部
４６１        凸塊
４７        挟持開口
４８        指針納置開口
４９        係合突起部
５        磁石保護体
５１        大保護片
５１１        折片
５１２        孔
５１３        掛合凹部
５２        小保護片
５３        露出端子片
５３１        ネジ柱
５３２        復位バネ
５４        納置空間
５５        指針
５６        Ｖ字型片
５７        延長部
５８        孔
６        磁石ユニット
６１        保護片
６２        磁石
７        箱体
７２        軸突端
７３        軸突端
８        挟持フレーム
８１        孔
８２      露出端子片
８３      ネジ柱
８４      腕
８４１      案内条
８５      腕
８５１      案内条
８６      係合突起部
９      磁石保護体
９１      磁石保護台
９１１      磁石保護環
９１２      納置空間
９１３      設置位置
９１４      固定孔
９１５      案内溝
９２      固定端子
９２１      孔
９２２      露出端子片
９２３      ネジ柱
９２４      穿孔
【図１】
0003102281.tif 000003
【図２】
0003102281.tif 000004
【図３】
0003102281.tif 000005
【図４】
0003102281.tif 000006
【図５】
0003102281.tif 000007
【図６】
0003102281.tif 000008
【図７】
0003102281.tif 000009
【図８】
0003102281.tif 000010
【図９】
0003102281.tif 000011
【図１０】
0003102281.tif 000012